(57)【要約】【課題】層板パケット内部での層板間の再現可能な固定結合を簡単に達成でき、しかも被着ヘッドの複雑な構成を要することなく達成できる層板パケット製造方法を提供する。【解決手段】リング状層板に少なくとも１つの被着ヘッドを用いて少なくとも１つの接着剤を被着させ、前記層板を積層して層板パケットを形成するようにした、層板パケットを製造する方法。前記被着ヘッド（７）の被着領域に前記接着剤を被着させるために、前記層板（５，６）をその軸線（１７）のまわりに回転させ、および／または、前記被着ヘッド（７）を前記層板（５，６）の前記軸線（１７）のまわりで移動させる。【選択図】図１０
2016097403.tif 000002
【特許請求の範囲】
【請求項１】
リング状層板に少なくとも１つの被着ヘッドを用いて少なくとも１つの接着剤を被着させ、前記層板を積層して層板パケットを形成するようにした、層板パケットを製造する方法において、
前記被着ヘッド（７）の被着領域に前記接着剤を被着させるために、前記層板（５，６）をその軸線（１７）のまわりに回転させ、および／または、前記被着ヘッド（７）を前記層板（５，６）の前記軸線（１７）のまわりで移動させることを特徴とする方法。
【請求項２】
前記層板（５，６）および／または前記被着ヘッド（７）を調整、制御して回転させ、或いは、空間内で移動させることを特徴とする、請求項１に記載の方法。
【請求項３】
前記層板（５，６）を、生産に依存する所定の回転角にわたってその前記軸線（１７）のまわりに回転させることを特徴とする、請求項１または２に記載の方法。
【請求項４】
前記被着ヘッド（７）を、生産に依存する所定の回転角にわたって前記層板（５，６）の前記軸線（１７）のまわりに移動させることを特徴とする、請求項１から３までのいずれか一つに記載の方法。
【請求項５】
前記被着ヘッド（７）が定置部分と可動部分（２７）とを有し、該定置部分と可動部分のうち可動部分（２７）を、生産に依存する所定の回転角にわたって前記層板（５，６）の前記軸線（１７）のまわりに移動させることを特徴とする、請求項１から３までのいずれか一つに記載の方法。
【請求項６】
前記層板（５，６）を、前記接着剤を被着させる前にクリーニングおよび／または活性化させることを特徴とする、請求項１から５までのいずれか一つに記載の方法。
【請求項７】
前記接着剤を、前記層板（５，６）を打ち抜く前に被着させることを特徴とする、請求項１から６までのいずれか一つに記載の方法。
【請求項８】
前記接着剤を、前記層板（５，６）を打ち抜いた後に被着させることを特徴とする、請求項１から６までのいずれか一つに記載の方法。
【請求項９】
帯状シートから層板を打ち抜き、少なくとも１つの被着ヘッドを用いて少なくとも１つの接着剤を前記層板上に被着させ、前記接着剤を備えた前記層板を積層して層板パケットを形成するようにした、層板パケットを製造する方法において、
ａ）前記層板（１８）を第１の位置（２０）で打ち抜くこと、
ｂ）前記層板（１８）を前記帯状シート（１９）の横の第２の位置（２４）に搬送し、そこで前記接着剤を被着させること、
ｃ）次に、前記層板（１８）を前記帯状シート（１９）下方の第３の位置（２５）へ搬送すること、
ｄ）前記第３の位置（２５）の高さで前記帯状シート（１９）から次の層板（１８）を打ち抜き、前記第３の位置（２５）で、前記接着剤を備えた前記層板（１８）の上に前記次の層板（１８）を加圧して設置すること、
ｅ）このようにして生じた部分パケットを、前記帯状シート（１９）の横の第４の位置（２６）へ搬送し、そこで前記部分パケットに前記接着剤を被着させること、
ｆ）次に、前記部分パケットを前記第１の位置（２０）へ搬送し、そこで次の層板（１８）を打ち抜き、その下にある前記部分パケットの上に加圧のもとで設置し、
ｇ）次に、層板パケットが所望の高さを有するまでａ）からｆ）のステップを繰り返すこすること、
を特徴とする方法。
【請求項１０】
前記層板（１８）を、前記接着剤を被着する前にクリーニングおよび／または活性化させることを特徴とする、請求項１から９までのいずれか一つに記載の方法。
【請求項１１】
前記接着剤を無接触式で前記層板（５，６，１８）上に被着させることを特徴とする、請求項１から１０までのいずれか一つに記載の方法。
【請求項１２】
前記接着剤を面状、点状、または線状に前記層板（５，６，１８）上に被着させることを特徴とする、請求項１から１１までのいずれか一つに記載の方法。
【請求項１３】
前記層板（５，６，１８）の表面上での前記接着剤の面積が前記層板の全表面積の少なくともほぼ５０％になるような量で前記接着剤を被着させることを特徴とする、請求項１から１２までのいずれか一つに記載の方法。
【請求項１４】
前記接着剤の面積が前記層板の全表面積のほぼ６０％以上であることを特徴とする、請求項１３に記載の方法。
【請求項１５】
前記層板（１８）がＴ字状に形成されていることを特徴とする、請求項９から１４までのいずれか一つに記載の方法。
【請求項１６】
前記層板（１８）を、回転可能な雌型（２１）を用いて異なる前記位置（２０，２４ないし２６）の間に搬送することを特徴とする、請求項９から１５までのいずれか一つに記載の方法。
【請求項１７】
前記層板（１８）を、生産に依存する所定の回転角だけ個々の前記位置（２０，２４ないし２６）の間に搬送することを特徴とする、請求項９から１６までのいずれか一つに記載の方法。
【請求項１８】
シート材から層板を打ち抜くための少なくとも１つの打ち抜き工具を用いて請求項１から１７までのいずれか一つに記載の方法を実施するための設備において、
前記打ち抜き工具（４）の下流側に、前記層板（５，６，１８）をクリーニングするための、および／または活性化するための、および／または該層板に接着剤を被着させるための少なくとも１つのステーション（４ａ，８，９）が設けられていることを特徴とする設備。
【請求項１９】
前記層板（５，６，１８）を前記打ち抜き工具（４）の外側の領域で積層して層板パケットを形成させることを特徴とする、請求項１８に記載の設備。
【請求項２０】
前記接着剤を被着させるための、および／またはクリーニングのための、および／または活性化するための前記ステーション（４ａ，８，９）が、少なくとも１つの被着装置（７）を有し、該被着装置（７）が前記層板（５，６）のための回転ユニット（３３，３６）の領域に設けられ、該回転ユニットにより前記層板がその軸線のまわりに回転可能であることを特徴とする、請求項１８または１９に記載の設備。
【請求項２１】
前記接着剤を被着させるための、および／またはクリーニングのための、および／または活性化するための前記ステーション（４ａ，８，９）が、少なくとも１つの被着装置（７）を有し、該被着装置（７）が前記層板（５，６）に沿って移動可能であることを特徴とする、請求項１８または１９に記載の設備。
【発明の詳細な説明】
【技術分野】
【０００１】
本発明は、請求項１または１０の上位概念に記載の層板パケットの製造方法、および、請求項１８の上位概念に記載のこの種の方法を実施するための設備に関するものである。
【背景技術】
【０００２】
たとえば無端帯材から打抜かれる層板を積層して層板パケットを形成し、該層板パケットからモータおよび発電機用のロータまたはステータを製造することは知られている。層板パケットの内部では、層板が部分的に接着剤を用いて互いに結合され、接着剤は点状に層板上に被着される。接着剤は通常ピエゾ弁を用いて層板上に被着されるので、ピエゾ弁の対応する数量が必要である。しかしながら、これによって、この種のピエゾ弁を備えた被着ヘッドは構成が複雑であり、対応的に高価である。
【０００３】
さらに、絶縁塗料（例えばＥＢ５３５０）がその接着能力に関して再現可能な化学的および物理学的特性を有していないこと、および／または、ナノメータ範囲の絶縁表面は汚染または不浄であることが知られている。これにより、接着剤と絶縁表面との間の十分な付着および／または必要時間内での付着を行うことができない。
【発明の概要】
【発明が解決しようとする課題】
【０００４】
本発明の課題は、この種の方法およびこの種の設備を次のように構成すること、すなわち層板パケット内部での層板間の再現可能な固定結合を簡単に達成でき、しかも被着ヘッドの複雑な構成を要することなく達成できるようにすることである。
【課題を解決するための手段】
【０００５】
この課題は、本発明によれば、この種の方法に関しては、請求項１または９の特徴ある構成によって解決され、この種の設備に関しては、請求項１８の特徴ある構成によって解決される。
【０００６】
請求項１に記載の本発明による方法では、層板はリング状に形成されている。層板は、帯状シートまたはシート板から打抜きまたは他の方法（特にレーザー切断）で製造することができる。接着剤の被着の際、リング状層板は、被着ヘッドの領域で、層板が被着ヘッドの被着領域にあるように位置決めされる。接着剤を被着している間、リング状層板をその軸線のまわりに回転させる。これにより、層板の表面領域全体が被着ヘッドの被着領域へ到達する。従って、被着ヘッドの構造的に簡潔な構成で、リング状層板の表面全体に、すなわち全面に接着剤を具備させることが可能である。リング状層板にその周方向において接着剤を具備させるためには、被着ヘッド内の被着ノズルの数量はわずかで済む。要求に応じては、リング状層板の表面の一部分にのみ接着剤を具備させることも可能である。
【０００７】
接着剤の被着は、リング状層板を位置固定したままにして、被着ヘッドまたは被着ヘッドの可動部分がリング状層板の周方向に移動することによっても行うことができ、その結果接着剤を層板の周領域全体にわたってまたは周領域の一部分のみにわたって被着させることができる。また、接着剤を被着させている間、層板と被着ヘッドの双方を層板の軸線のまわりに回転または移動させることも可能である。
【０００８】
有利には、層板および／または被着ヘッドを規則的に回転または移動させる。これにより接着剤をリング状層板の周方向に簡単に所望の層板領域上に被着させることができる。加えて、層板および／または被着ヘッドを移動させるための制御が対応的に簡単である。
【０００９】
層板を所定の回転角にわたってその軸線のまわりに回転させ、その結果層板のリング状表面の全周にわたって接着剤を具備させることができる。
【００１０】
接着剤を層板の全周にわたって該層板の表面に被着させることができるようにするため、有利には被着ヘッドまたは該被着ヘッドの可動部分を所定の回転角にわたってリング状層板の軸線のまわりに移動させる。
【００１１】
有利には、層板のリング状の上面および下面を接着剤の被着前にクリーニングおよび／または活性化させる。クリーニングのため、圧縮空気流、ＣＯ２スノージェット流および／またはプラズマ線のような公知のブラスト方法または水性クリーニングを使用でき、これを用いて、層板の表面にある非有機汚染粒子および／または有機汚染粒子が確実に除去される。
【００１２】
リング状層板の表面を活性化するため、好ましくは公知の大気圧プラズマ方法を使用することができる。このため、ナノ範囲の化学的／物理学的反応によって電気シートの絶縁層を処理または変性し、これによって正確に定義された高効率表面を保証する。
【００１３】
クリーニングおよび／または活性化により、接着剤が確実にリング状層板の表面上に付着することが達成される。
【００１４】
接着剤は、層板を打ち抜く前にすでに被着させてよい。このケースでは、打抜くための金型は、接着剤と接触しないように構成されている。
【００１５】
しかし、接着剤をリング状層板を打ち抜いた後に初めて被着させることも可能である。この場合、特殊な打ち抜き工具は必要ない。
【００１６】
請求項９に記載の本発明による方法は、リング状に形成されていない層板に対し適している。従って、層板は、積層されて部分リングパケットを形成するリング部分として形成されていてよい。この場合、この部分リングパケットはその後継ぎ合わされてリング状パケットを形成する。この方法では、層板を第１の位置で打抜く。次に層板を、帯状シートの横の領域にある第２の位置へ搬送する。この第２の位置で、層板の上面上に接着剤を被着させる。次にこの層板を、帯状シートの下方にある第３の位置へ搬送する。この第３の位置の高さで帯状シートから次の層板を打ち抜き、この位置で当該次の層板を、接着剤を具備した層板の上に加圧して設置する。このようにして、積層している層板が接着剤によって互いに結合されているような部分パケットが生じる。部分パケットを、帯状シートの横の領域にある第４の位置へ搬送し、ここで帯状シート上に接着剤を被着させる。次にこの部分パケットを、同様に帯状シートの下方領域にある第１の位置へ戻し搬送する。第１の位置で次の層板を打ち抜き、その下にあって上面に第４の位置で被着させた接着剤を具備している部分パケットの上に加圧して押し付ける。このようにして層板を順次打抜き、所望の高さを有するまで積層して層板パケットを形成させる。
【００１７】
接着剤は、有利には無接触式に層板上に被着させる。
【００１８】
もちろん、接着剤を接触式に層板上に被着させてもよい。
【００１９】
接着剤は面状に被着させてよいが、しかし線状または点状に被着させてもよい。このためには、対応する被着ノズルを対応的に長くまたは短く開くこと、被着ノズルを、送り速度に対し生産特有の比率で制御部を介して、例えばＳＰＳ制御部を介して調整、制御、監視することのみが必要である。
【００２０】
本発明による方法を用いると、特に、層板の上面上の接着剤の面積が層板上面の全面積の少なくともほぼ５０％であるような量で接着剤を被着させることが可能である。接着剤が占める割合がこのように大きいことにより、層板は層板パケット内部で確実に互いに結合される。接着剤のこの大きな面積占有割合は、被着ヘッドの複雑な構成を生じさせない。
【００２１】
有利には、接着剤の面積占有割合は、層板上面の全面積のほぼ６０％以上である。
【００２２】
請求項９に記載の方法では、層板は例えばＴ字状に形成されていてよい。
【００２３】
この方法では、層板は有利には回転可能な雌型により異なる位置の間へ搬送される。
【００２４】
層板をその都度９０゜だけ個々の位置の間で搬送するのが有利である。
【００２５】
本発明による方法を用いると、通常１ｍｍ以下の厚さを有する特に薄い工作物を確実に加工することができる。特に異なる品質、厚さ、特性、被膜の層板を加工することができる。しかも、層板パケット内部では、異なる品質、厚さ、特性、被膜の層板を使用することができる。
【００２６】
本発明による設備では、層板を打ち抜く打ち抜き工具の下流側に、少なくとも１つのステーションが接続され、該ステーションで層板をクリーニングおよび／または活性化および／または接着剤を具備させることができる。この場合、設備は各操作のために固有のステーションを有していてよい。しかし、ただ１つのステーションで３つのすべてのプロセス、すなわちクリーニング、活性化、接着剤の被着を実施することも可能である。このステーションは打ち抜き工具内に配置されずに、打ち抜き工具の外側に配置されているので、クリーニング、活性化、接着剤の被着の際に不純物が生じても、打ち抜き工具は不純物に汚染されない。
【００２７】
有利な構成では、設備は、層板を打ち抜き工具の内部ではなくその外側で積層して層板パケットが形成されるように構成されている。
【００２８】
有利な構成では、接着剤の被着および／またはクリーニングおよび／または活性化を行うためのステーションは、回転ユニットの領域に配置される被着装置を備えている。回転ユニット上に層板があり、層板を回転ユニットによりその軸線のまわりで回転させる。この場合、層板は有利にはリング状に形成されている。層板は、回転ユニットを用いてその軸線のまわりで被着装置の下方で回転させる。これにより層板はその周方向において被着装置の作業領域に位置決めされ、被着装置は対応する作業を実施することができる。
【００２９】
他の有利な実施態様では、クリーニングおよび／または活性化および／または接着剤の被着を行っている間、層板は静止している。このケースでは、被着装置は、層板に沿って移動するように構成されている。このケースでも、層板の全周にわたってクリーニングおよび／または活性化および／または接着剤の具備を行うことが可能である。
【００３０】
本出願の対象は個々の請求項の対象から明らかになるばかりでなく、図面および以下の説明で開示されるすべての記載および構成要件によっても明らかになる。これらの記載および構成要件は、請求の範囲の対象ではなくても、個々にまたは組み合わせて技術水準に対し新規なものであれば、本発明にとって重要なものとして本出願の対象とする。
【００３１】
本発明の更なる構成は他の請求項、以下の説明および図面から明らかである。
【図面の簡単な説明】
【００３２】
本発明を、図面に図示した実施形態を用いて詳細に説明する。
【図１】本発明による円形配置の溝打抜き設備の概略図である。
【図２】本発明による円形形状の溝打抜き設備の第２実施形態の概略図である。
【図３】本発明による円形形状の溝打抜き設備の第３実施形態の概略図である。
【図４】本発明による直線配置の溝打抜き設備の他の実施形態の概略図である。
【図５】本発明による直線配置の溝打抜き設備の他の実施形態の概略図である。
【図６】本発明による直線配置の溝打抜き設備の他の実施形態の概略図である。
【図７】本発明による直線配置の高速プレスの実施形態の概略図である。
【図８】本発明による直線配置の高速プレスの第２実施形態の概略図である。
【図９】本発明による直線配置の高速プレスの第３実施形態の概略図である。
【図１０】クリーニングステーションと活性化ステーションとを備えた本発明による接着剤被着装置の概略図である。
【図１１】シートを回転させる方式の接着剤被着工程を示す図である。
【図１２】回転装置を用いた接着剤被着工程を示す図である。
【図１３】回転ユニットを備える装置を用いた接着剤被着工程を示す図である。
【図１４】回転するシート上に接着剤を被着させるための本発明によるユニットの１実施形態の平面図、側面図である。
【図１５】回転ユニットを備えた装置を用いて接着剤を被着させるための本発明によるユニットの１実施形態の平面図、側面図である。
【図１６】本発明による接着剤被着ユニットの１実施形態の概略図である。
【図１７】本発明による接着剤被着ユニットの他の実施形態の概略図である。
【発明を実施するための形態】
【００３３】
以下では、層板パケット内部に積層される層板を少なくとも１つの接着剤を用いていかに互いに結合させることができるかを、種々の実施形態に関し開示する。この場合、使用する設備および装置類は次のように構成されており、すなわち個々の層板が比較的大きな接着面積成分を有し、該接着面積成分が層板全面積のほぼ６０％以上であるように、構成されている。この場合、接着剤は点状、線状、または面状にそれぞれの層板上に被着されていてよい。この大きな面積の接着剤被着に使用する装置は、構造的に非常に簡潔で省スペースの構成を特徴としている。
【００３４】
図１は、円形配置の溝打抜き設備の構成を概略的に例示したものである。この設備は、円形シート素材の形態の層板２を貯留する第１ステーション１を有している。層板２は搬送システム１０を介して第２ステーション３へ到達し、該第２ステーションで層板２を更なる加工のためにアライメントする。アライメントされた層板２は、搬送システムを介して第３ステーション４へ到達する。ここで、円形シート素材から、リング状のステータシート５とリング状のロータシート６とを公知の態様で打抜きする。続いて、装置（被着ヘッド）７を用いてシート５，６をクリーニングし、接着剤を被着させる。
【００３５】
搬送システムを用いて、外側のステータシート５を第４ステーション８に供給し、ここでステータシート５を積層してステータパケットを形成させる。積層したステータシート５を接着剤を介してまとめて保持する。個々のリング状のステータシート５は積層の前にアライメントされ、その結果生じるステータパケットはその周方向において均一な軸線方向高さを有する。
【００３６】
リング状のロータシート６を搬送システム１０を用いて第５ステーション９に供給し、ここでリング状のロータシート６を積層してロータパケットを形成させる。積層の前にロータシート６はアライメントされ、その結果ロータパケットはその周方向において均一な軸線方向厚さを有する。積層されたロータシートは、ステーション４で被着された接着剤を介して確実にまとめて保持する。
【００３７】
この実施形態では、ステーション１，３，４，８，９は搬送システム１０のまわりで１つの円上に配置されている。
【００３８】
図２の溝打抜き設備も同様に円形配置で構成され、すなわち個々ステーションは中心に配置される搬送システムのまわりで１つの円上に位置している。この溝打抜き設備は前記実施形態と実質的に同一に構成されている。ステーション１で円形シート素材２を貯留保持する。ここから円形シート素材を搬送システム１０を用いて第２ステーション３に供給し、ここで円形シート素材２をアライメントする。第３ステーション４で円形シート素材２からリング状のステータシート５とリング状のロータシート６とを打抜きする。
【００３９】
搬送システム１０を用いてシート５，６を第４ステーション４ａに供給し、ここでこれらシートをクリーニングし、その上に接着剤を被着させる。
【００４０】
次の第５ステーション８でステータシート５を前述のようにアライメントし、継ぎ合わせてステータパケットを形成させる。次の第６ステーション９でリング状のロータシート６を前述のようにアライメントし、組み合わせてロータパケットを形成させる。
【００４１】
図３の溝打抜き設備も同様に円形配置で構成され、すなわち個々のステーションは中央に配置される搬送システム１０のまわりで１つの円上にある。この溝打抜き設備は前記実施形態と実質的に同一に構成されている。ステーション１で円形シート素材２を貯留保持する。ここから円形シート素材を搬送システム１０を用いて第２ステーション３に供給し、ここで円形シート素材２をアライメントする。第３ステーション４で円形シート素材２からリング状のステータシート５とリング状のロータシート６とを打抜く。
【００４２】
搬送システム１０によりシート５，６を第４ステーション４ｂに供給し、ここでクリーニングし、接着剤を被着させる。この実施形態では、クリーニングノズルおよび／または活性化ノズルと接着剤塗布弁とは、定置装置ユニット７内にある可動装置ユニット２７によってシート５，６のまわりを運動する。
【００４３】
次の第５ステーション８でステータシート５を前述のようにアライメントし、つなぎ合わせてステータパケットを形成させる。次の第６ステーション９でリング状のロータシート６を前述のようにアライメントし、組み立ててロータパケットを形成させる。
【００４４】
第１実施形態と異なるのは、両シート５，６の打抜きと、クリーニングと、接着剤の被着とを２つのステーション４，４ａ（第２図）または４，４ｂ（第３図）で行うことである。図１の実施形態では、打抜き工程とクリーニングと接着剤の被着とはただ１つのステーション４で行う。
【００４５】
図４の実施形態では、溝打抜き設備の個々のステーションは直線配置構成であり、すなわち直線搬送システム１０に沿って互いに並設されている。この実施形態の場合も、リング状の円形シート素材２はステータシート５およびロータシート６の出発材料として使用される。円形シート素材は、シートからレーザーを用いて切り出されるか、或いは、無端シートから公知の態様で打抜かれる。これは図１、図２、図３の溝打抜き設備で使用される円形シート素材２に対しても適用される。レーザーを用いてシートから円形シート素材を切り出す点、または、無端シートから打抜きを行う点は公知であるので、これ以上詳細に説明しない。
【００４６】
第１ステーション１で同様に円形シート素材２を貯留保持する。搬送システム１０を用いて円形シート素材２を第２ステーション３に供給し、ここで円形シート素材２のアライメントを行う。続いて、アライメントされた円形シート素材２は搬送システム１０により第３ステーション４へ到達し、ここで図１の実施形態の場合と同様に円形シート素材２からリング状のステータシート５とリング状のロータシート６とを打抜く。次に、両シート５，６を装置７でクリーニングし、接着剤を被着させる。
【００４７】
次のステーション８でリング状のステータシート５を積層してステータパケットを形成させる。このために継ぎ合わせユニット１２が設けられ、該継ぎ合わせユニットを用いてリング状のステータシート５をアライメントするとともに、積層してステータパケットを形成させる。接着剤は、ステータシート５がステータパケット内部で互いに固定結合される用を成す。積層前にステータシートをアライメントするので、ステータパケットはその周方向において均一な軸線方向高さを有する。
【００４８】
リング状のロータシート６を搬送システム１０によりステーション９に供給し、ここでロータシート６を継ぎ合わせユニット１３により積層してロータパケットを形成させる。ロータシート６を互いに積層する前に、該ロータシートは、生じるロータパケットがその周方向において均一な軸線方向高さを有するようにアライメントされる。ロータパケット内部で積層しているロータシート６を接着剤を介して互いに固定結合させる。
【００４９】
図５の溝打抜き設備も同様に直線状に構成されて直線搬送システム１０を有し、該直線搬送システムに沿って個々のステーションが直線構成で互いに並設されている。第１ステーション１で円形シート素材２を同様に貯留保持する。搬送システム１０を用いて円形シート素材２を第２ステーション３に供給し、ここで円形シート素材２のアライメントを行う。続いて、アライメントされた円形シート素材２を搬送システム１０を用いて第３ステーション４に供給し、ここで図２の実施形態の場合と同様に円形シート素材２からリング状のステータシート５とリング状のロータシート６とを打抜く。続いて、打抜いたシート５，６を搬送システム１０を用いてステーション４ａに供給し、ここでシート５，６をクリーニングするとともに、活性化させる。続いて接着剤の被着を行う。
【００５０】
次のステーション８でリング状のステータシート５を積層してステータパケットを形成させる。このために継ぎ合わせユニット１２が設けられ、該継ぎ合わせユニットを用いてリング状のステータシート５をアライメントするとともに、積層してステータパケットを形成させる。接着剤は、ステータパケット内部でステータシート５が互いに固定結合される用を成す。積層する前にステータシート５をアライメントするので、ステータパケットはその周方向において均一な軸線方向高さを有する。
【００５１】
リング状のロータシート６を搬送システム１０を用いてステーション９に供給し、ここでロータシート６を継ぎ合わせユニット１３を用いて積層してロータパケットを形成させる。ロータシート６を積層する前に、該ロータシートは、生じるロータパケットがその周方向において均一な軸線方向高さを有するようにアライメントされる。積層したロータシート６を接着剤を介してロータパケット内部で互いに固定結合させる。
【００５２】
図６の溝打抜き設備も直線状に構成されており、個々のステーションは直線搬送システム１０に沿って互いに並設されている。第１ステーション１で円形シート素材２を同様に貯留保持する。搬送システム１０を用いて円形シート素材２を第２ステーション３に供給し、ここで円形シート素材２のアライメントを行う。続いて、アライメントされた円形シート素材２は搬送システム１０により第３ステーション４へ到達し、ここで図３の実施形態の場合と同様に円形シート素材２からリング状のステータシート５とリング状のロータシート６とを打抜きする。続いて、打抜いたシートを搬送システム１０を用いてステーション４ｂに供給し、ここでこれらシート５，６をクリーニングするとともに、活性化させる。次に接着剤の被着を行う。
【００５３】
次のステーション８でリング状のステータシート５を積層してステータパケットを形成させる。このために継ぎ合わせユニット１２が設けられ、該継ぎ合わせユニットを用いてリング状のステータシート５をアライメントし、積層してステータパケットを形成させる。接着剤は、ステータシート５がステータパケット内部で互いに固定結合される用を成す。ステータシート５を積層前にアライメントされるので、ステータパケットはその周方向において均一な軸線方向高さを有する。
【００５４】
リング状のロータシート６を搬送システム１０を用いてステーション９に供給し、ここでロータシート６を継ぎ合わせユニット１３を用いて積層してロータパケットを形成させる。ロータシート６を積層する前に、ロータシートは、生じるロータパケットがその周方向において均一な軸線方向高さを有するようにアライメントされる。積層したロータシート６を接着剤を介してロータパケット内部で互いに固定結合させる。
【００５５】
図７は、作業室内部での高速プレス構想を例示した概略図である。この作業室は第１のステーション４ｂを有し、ここで電気バンド１９を第１ステーション４ｂ内の被着装置７を用いてクリーニングし、活性化し、接着剤をバンド１９上に被着させる。次の第２ステーション４でシートから円形のシート５，６を打抜く。打抜きプロセスは公知であるので、詳細に説明しない。
【００５６】
次のステーション８でリング状のステータシート５を積層してステータパケットを形成させる。このために継ぎ合わせユニット１２が設けられ、該継ぎ合わせユニットを用いてステータシート５をアライメントし、積層してステータパケットを形成させる。接着剤は、ステータシート５がステータパケット内部で互いに固定結合される用を成す。ステータシートは積層前にアライメントされるので、スタパケットはその周方向において均一な軸線方向高さを有する。
【００５７】
リング状のロータシート６を搬送装置１０を用いてステーション９に供給し、ここでロータシート６を継ぎ合わせユニット１３を用いて積層したロータパケットを形成させる。ロータシート６を積層する前に、該ロータシートは、生じるロータパケットがその周方向において均一な軸線方向高さを有するように、アライメントされる。積層したロータシート６を接着剤を介してロータパケット内部で互いに固定結合させる。
【００５８】
搬送システム１０は電気バンド１９の搬送方向に対し垂直に配置されている。ステーション４，８，９は搬送システム１０に沿って位置している。
【００５９】
図８の高速プレス設備も同様に作業室内部での高速プレス構想を例示した概略図である。この作業室は第１ステーション４を有し、そこで電気バンド１９からシート５，６を打抜く。第２ステーション４ａでシート５，６を被着装置７を用いてクリーニングし、活性化するとともに接着剤をシート５，６上に塗布する。次のステーション８でリング状のステータシート５を積層してステータパケットを形成させる。このために継ぎ合わせユニット１２が設けられ、該継ぎ合わせユニットによりリング状のステータシート５をアライメントし、積層してステータパケットを形成させる。接着剤は、ステータシート５がステータパケット内部で互いに固定結合される用を成す。ステータシートが積層前にアライメントされるので、ステータパケットはその周方向において均一な軸線方向高さを有している。
【００６０】
次のステーション９でリング状のロータシート６を継ぎ合わせユニット１３を用いて積層してロータパケットを形成させる。発生するロータパケットがその周方向において均一な軸線方向高さを有するようにするため、ロータシートは組み立ての前にアライメントする。積層しているロータシート６を接着剤によって互いに固定結合させる。
【００６１】
ステーション４，４ａ，８，９は直線状に互いに相前後しており、その結果シート５，６を直線搬送システム１０を用いてこれらのステーションに供給できる。本実施形態に対応して、電気バンド１９を搬送システム１０の搬送方向に対し垂直に供給する。
【００６２】
図９の高速プレス設備も同様に作業室内部での高速プレス構想を例示した概略図である。この作業室は第１ステーション４を有し、そこで電気バンド１９からシート５，６を打抜く。次の第２ステーション４ａでシート５，６を被着装置７を用いてクリーニングし、活性化するとともに接着剤をシート５，６上に塗布する。次のステーション８でリング状のステータシート５を積層してステータパケットを形成させる。このために継ぎ合わせユニット１２が設けられ、該継ぎ合わせユニットによりリング状のステータシート５をアライメントし、積層してステータパケットを形成させる。接着剤は、ステータシート５がステータパケット内部で互いに固定結合される用を成す。ステータシートが積層前にアライメントされるので、ステータパケットはその周方向において均一な軸線方向高さを有している。
【００６３】
リング状のロータシート６を搬送システム１０を用いてステーション９に供給し、そこでロータシート６を継ぎ合わせユニット１３を用いて積層してロータパケットを形成させる。ロータシート６を積層する前に、発生するロータパケットがその周方向において均一な軸線方向高さを有するようにロータシートをアライメントする。積層しているロータシート６を接着剤を介してロータパケット内部で互いに固定結合する。
【００６４】
この実施形態でもステーション４，４ａ，８，９は直線状に互いに相前後して位置している。搬送システム１０の搬送方向は電気バンド１９の搬送方向に対し垂直である。
【００６５】
図１０は、接着剤をステータシート５とロータシート６上に被着させるための装置７を示している。この装置７は、図１と図４の実施形態ではステーション４で使用され、図２、図３、図５、図６、図７、図８、図９の実施形態ではステーション４ａまたは４ｂで使用される。
【００６６】
装置７は少なくとも１つのクリーニングノズル１４を有し、該クリーニングノズルは、それから出るクリーニング剤がステータシート５またはロータシート６の上面に当たるように配置されている。本実施形態では、互いに間隔をもって並設されているこのようなクリーニングノズルが２つ設けられている。
【００６７】
さらに、装置７は少なくとも１つの活性化ノズル１５を備えている。この活性化ノズルから大気圧プラズマが放出する。本実施形態では、このような活性化ノズル１５が２つ設けられ、これらの活性化ノズルはシート５，６の表面に対し配向されている。これら２つの活性化ノズル１５も同様に互いに間隔をもって並設され、且つクリーニングノズル１４の横に間隔をもって配置されている。
【００６８】
最後に、装置７は少なくとも１つの被着ノズル１６を備えている。この被着ノズルを介して接着剤がシート５，６上へ被着される。図示した実施形態では、このような被着ノズル１６が２つ設けられ、これらの被着ノズルは互いに間隔をもって並設されている。さらに、被着ノズル１６は活性化ノズル１５に対し間隔をもって位置している。
【００６９】
クリーニング、活性化、接着剤被着を行うため、シータ５，６を装置７の下側を通過するように回転させる。シート５，６は、適当な回転ユニットを用いて中心軸１７のまわりを矢印方向に、すなわち時計方向に回転させる。装置７のノズル１４ないし１６は、シート５，６の回転の際に常に媒体を該シートに誘導するように配置されている。装置７とシート５，６用の回転ユニットとは、シート５，６の回転の際にノズル１４ないし１６が常にシート５，６の領域にあるように、互いに相対配置されている。これに対応して、ノズル１４ないし１６は、これらノズルから出る媒体が回転しているシート５，６にその全周にわたって当たるように、装置７に設けられている。図示した実施形態では、ノズル１４ないし１６はそれぞれ一列で互いに並設および重設され、その際これらノズルはそれぞれ互いに間隔を有している。
【００７０】
ノズルの配置は、シート５，６の回転の際に、まずクリーニングノズル１４から出るクリーニング剤がシート５，６の上面をクリーニングするように行われている。クリーニング剤としては、例えばＣＯ２スノージェット流を使用することができる。
【００７１】
クリーニングに引き続いて、ノズル１５を介して更なるクリーニングと、シート５，６の上面のクリーニングの活性化とを行い、これによって次に被着される接着剤がシート５，６上に確実に付着する。クリーニング剤および活性剤としては、例えば大気圧プラズマが考えられる。本実施形態で二重のクリーニングを行うのは、これに引き続いて行われる活性化がシート５，６の上面を申し分なく清浄し、シート５，６上での接着剤の好適な付着が保証されるように活性化するためである。従って、ノズル１６から出る接着剤は、シート５，６の回転の際に、接着剤が確実に付着するクリーニング・活性化表面へ到達する。
【００７２】
シート５，６は装置７またはそのノズル１４ないし１６の下を通過するように回転するので、シート５，６にその全周にわたって十分な量の接着剤を備えさせるには、ごくわずかのノズルで十分である。接着剤面積が層板５，６の全表面積のたとえば６０％以上になるような面積にわたって接着剤を被着させることは難なく可能である。このようにして、それぞれの層板パケット内部でシート５，６を接着剤を用いて非常に堅固に互いに固定させる。接着剤はシート５，６の回転の際に連続的に被着させることができ、その結果シート５，６の表面全体を接着剤で湿潤させることが簡単に可能である。本実施形態では、このために２つのノズル１６しか必要としないので、接着剤を面被着させるための技術コストは少ない。特に、接着剤を合目的にシート５，６上へ被着させるために２つの弁、好ましくはピエゾ弁しか必要としない。
【００７３】
接着剤は、シート５，６の上へ全周にわたって面被着させる必要はない。シート５，６の上面上のいくつかの部分にのみ接着剤を面被着させてよい。接着剤を被着させるために設けられる弁は、所望の接着剤被着が行われるように適当な制御部によって制御される。
【００７４】
ノズル１６は、接着剤がシート５，６の上面に面状に当たるのではなく、例えば点状または線状に当たるように構成されていてもよい。
【００７５】
シート５，６の下面および上面をクリーニングおよび活性化させるためにノズル１４と１５から出る媒体は、有利にはシート５，６の下面および上面の前面にわたって被着され、その結果シート５，６の上面全体は次の接着剤被着のために申し分なくクリーニングおよび活性化されている。
【００７６】
図１６は、広い面積にわたる接着剤の被着を、リング状のシートで行うばかりでなく、Ｔ字状のシートセグメント１８でも行えることを示している。Ｔ字状のシートセグメントは帯状シート１９から公知の態様で打抜かれる。第１のステーション２０でセグメント１８を帯状シート１９から打抜き、その時セグメント１８は回転可能な雌型２１内にある。回転可能な雌型２１は、帯状シート１９を平面図で見て該帯状シート１９の半分の幅の位置を通って延びる中心軸線２２のまわりに回転可能である。回転可能な雌型２１は、打抜きプレスの構成部材である金型下部分２３内にある。
【００７７】
打抜き工程後、本実施形態では、雌型２１を時計方向に９０゜回転させ、これによってＴ字状セグメント１８は、帯状シート１９の横の領域にある第２ステーション２４内へ到達する。シート表面は、位置２０から２４へおよび／または位置２５から２６へ回転している間に、組み込まれているクリーニングノズルおよび／または活性化ノズル１４，１６によって移動せしめられ、これによってクリーニングおよび変性される。シート表面は図１６では概略的に示してある。従って、打抜かれて雌型２１内にあるセグメント１８は、帯状シート１９の外側にある。ステーション２４では接着剤をセグメント１８上へ被着させる。このために、図１６には簡単のために図示していない装置７を使用することができる。セグメントはＴ字状の形状を持っているので、本実施形態では、対応するノズルは装置７に次のように設けられており、すなわちセグメント１８がその上面をクリーニングされるように、場合によっては活性化され、図１０の実施形態を例にして説明したように面状、点状または線状に被着されてよい接着剤を備えさせることができるように、装置７に設けられている。
【００７８】
ステーション２４で接着剤を打ち抜いたセグメント１８上に被着させている間、これと同時に第１ステーション２０では次のセグメント１８が帯状シート１９から打抜かれる。
【００７９】
次に、雌型２１をその軸線２２のまわりで時計方向に再び９０゜回転させる。これによって、上面に接着剤を備えているセグメントは帯状シート１９の下方で第３ステーション２５へ到達する。第３ステーションで帯状シート１９から次のセグメント１８を打ち抜く。このセグメント１８は、第１ステーションで帯状シート１９から打抜いたセグメント１８に対し１８０゜回転した位置にある。雌型２１をその都度９０゜回転させるので、接着剤を備えたセグメント１８は、帯状シート１９を平面図で見て、ステーション２５で打抜いたセグメント１８の下方で合同状態にある。これによって、雌型２１内で、接着剤を備えているセグメント１８へ到達する。
【００８０】
この時点で雌型２１を新たに時計方向に９０゜回転させ、これによって、積層して接着剤によって互いに結合されている両セグメント１８は、第４ステーション２６の領域へ到達する。このケースでは、積層している両セグメント１８は、対向するステーション２４にあるセグメントの位置に対して１８０゜回転した位置にある。ステーション２６では、セグメント１８は再び帯状シート１９の横の領域にある。ステーション２６で上部セグメント１８に同様に接着剤を被着し、例えば全面または一部分に線状または点状に被着する。
【００８１】
この最後のステーション２６でセグメント１８を積層して層板パケットを形成させる。この場合、前述したように、常に２つの、積層されて接着剤によって互いに結合されたセグメントが、ステーション２６内ですでに形成されている層板パケット上に設置される。このようにして、ステーション２６では、セグメント１８が接着剤を用いて互いに固定結合されているセグメントパケットまたは層板パケットが生じる。
【００８２】
図１６の設備では、上述した操作を４つのすべてのステーションで同時に行う。帯状シート１９の互いに対向しあっている側にある２つのステーション２４，２６では、接着剤を被着させる装置がそれぞれセグメント１８の上方にある。これによって、接着剤／被着ユニットはそれぞれの金型の前方にあるような、従来の設備に比べて非常にコンパクトな構成の設備が得られる。
【００８３】
図１７は、金型内の接着剤を被着装置２８内部の回転要素２７を用いてリング状シート５，６に被着させる可能性を示している。この被着装置２８は金型下部部分２３の横にある。シートは公知の態様で帯状シート１９から打抜かれる。接着剤を電気帯状シートの上に被着させ、且つ事前のクリーニングと活性化とを保証するため、回転要素２７を用いて接着剤をその下にある電気バンドの上に被着させる。この場合回転要素２７は、帯状シート１９を平面図で見て、帯状シートの幅の半分の位置で該帯状シートに対し垂直に延びている回転軸線２９のまわりに回転する。リング状シート５，６を公知の態様で帯状シート１９から打抜いてパケット化する。被着装置２８は、図１０の装置を用いて説明したように少なくとも１つの被着ノズル１６を有し、該被着ノズルから、回転要素２７が回転している間に接着剤が放出される。ノズル１６は、接着剤がリング状シートの上面の全体に、一部分の面に、線状または点状等に被着されるように、制御部を介して操作される。図１０の装置とは異なり、装置２８の場合には、回転要素２７は回転駆動され、他方リング状シート５，６は静止したままである。可動装置部分２７は、好ましくはくさびベルト３２を介して、制御されるモータ３３によって駆動することができる。
【００８４】
図１１と図１２を用いて、異なる接着剤被着方法を説明する。
【００８５】
図１１の方法では、リング状シート５，６は、図１０を説明したように装置７の下方にしてその内部で回転する。接着剤の被着は点線３０によって象徴的に示した。点線３０は直線状の接着剤被着と理解されるべきではなく、接着剤がシート５，６の３６０゜回転によって被着されることを明確にするためのものである。この接着剤の被着は全面で、一部の面のみ、線状に、点状等であってよい。この場合、シート５，６の上面への異なる種類の接着剤被着方法は組み合わせで行ってもよい。例えば、一部の面での接着剤の被着をシート５，６の周部に沿って間隔をおいて行い、これら一部の面を、線状に被着させた接着剤によって互いに結合させることができる。このようにして接着剤の被着をその都度の要件に対し非常に簡単に整合させることができる。
【００８６】
図１２は、リング状シート５，６を移動させるのではなく、その代わりに装置７をシート５，６の周方向に移動させる可能性を示している。この場合、接着剤はそれぞれのシート５，６の周方向に被着され、このことを点線３０によってわかりやすく示した。すでに図１１に対し説明したように、点線３０は接着剤が線状に被着されることを意味しているのではない。接着剤は、種々の実施形態を用いて説明したように、適用例に応じて全面に、一部の面に、線状または点状に、或いは、リング状シート５，６の上面への異なる接着剤被着態様の組み合わせで被着される。
【００８７】
図１３は、図３、図６、図７、図９の被着装置２８を使用する場合の接着剤被着工程を示すものである。この場合、リング状シート５，６と電気バンド１９とは好ましくは静止しており、他方回転要素２７は３６０゜以下の回転を実施する。接着剤はリング状シート５，６の周方向に被着される。接着剤の被着を同様に点線３０によって図示した。接着剤の被着は全面に、一部の面に、線状、点状、または、これら異なる被着技術の組み合わせで行うこともできる。回転要素２７は、図１０を例に挙げて説明したように、リング状シート５，６をクリーニングし、場合によっては活性化するため、および、接着剤を被着させるため、ノズル１４ないし１６を有していてよい。これらのノズルは弁制御され、その際弁は、これら弁を所望通りに操作することのできる制御部に接続されている。
【００８８】
リング状シート５，６の半径方向幅によっては、それぞれ１つのノズル１４，１５，１６のみを設けてもよい。同様に、クリーニングノズル１４、活性化ノズル１５、被着ノズル１６を２つ以上使用してもよい。また、異なる数量の異なるノズル１４，１５，１６を設けることも可能である。異なるノズル１４ないし１６は制御部によって互いに独立に操作される。各種ノズルが２つまたはそれ以上設けられている場合も、同じ種類のノズルを制御部によって互いに独立に操作するのが有利である。これによって、リング状シート５，６の上面上の目的の領域をクリーニングおよび／または活性化および／または接着剤の具備を行うことが可能である。
【００８９】
変形実施形態では、それぞれのシートパケットを雌型２１内で継ぎ合わせる。この雌型は、パケットに制動力を作用させる制動部を公知の態様で有している。その大きさは、それぞれ最後のシート５，６または最後のセグメント１８をパケットのすでに形成された部分に押圧させる際に、その下にあるシート５，６，１８の確実な接着を保証するように選定されている。このため、シート部分５，６，１８を、雄型により、すでに積層されているシート部分に対し押圧させる。制動部は例えば部分リングによって形成されていてよく、その内径は打抜かれたシート５，６の外径よりもわずかに小さい。Ｔ字状のセグメント１８が積層されると、これらのセグメントのための受容空間は次のように形成され、すなわちその外径が同様にＴ字状セグメント１８の外径よりもわずかに小さいように形成され、これにより同様にそれぞれ形成されるセグメントパケットが制動される。
【００９０】
所望のパケット高さが達成されていれば、接着剤の供給を中断し、すなわちそれぞれの被着ノズル１６の弁を閉じ、その結果それぞれのリング状シート５，６またはセグメント１８に接着剤は被着されない。従って、これらのシート部分５，６，１８は先行するシートに付着せず、或いは、設備の構成によっては次のシートに付着しない。このようにして所望のパケット高さが特定される。
【００９１】
リング状シート５，６の場合、ステーション８（図１ないし図４）および図３の実施形態におけるステーション９において、リング状シート５，６のアライメント工程を行う。この場合、リング状シート５，６をその長手軸線のまわりに回転させて、雌型内に形成されるパケットがその周方向に一定の高さを有するようにする。このアライメント工程のために、制動部を備えた雌型を例えばホイール・ベルト駆動部を用いてその長手軸線のまわりに回転させ、これによって、雌型内にあるパケットを対応する角度だけ回転させる。この回転は、次のリング状シート５，６が雌型内の制動部内にある部分パケットに押圧される前に行う。積層しているシート部分５，６の間の結合は接着剤のみを介して行うので、雌型の回転角を、製造すべきシートパケットの使用例に対し最適に整合させることができる。この場合、シート部分をいかに組み合わせるかのような物理的制限がないので、どの回転角も可能である。
【００９２】
図１６の実施形態の場合、セグメント１８から成る部分パケットまたは全パケットの厚さは、帯状シート１６の両側にあるステーション２４，２６で測定することができる。これらのステーションでは、それぞれ形成される部分パケットの高さを直接検出できるので、非常に正確なパケット高さ特定が可能である。公知の方法では、パケット高さを間接的に特定するため、シート厚さまたは部分パケット内にあるセグメントの数量を検出し、これはパケット高さの不正確な測定にならざるをえないが、図１６の実施形態では、それぞれのパケット高さが直接（ダイレクト）に測定される。これによりパケット高さの非常に正確な特定が可能になる。
【００９３】
シート部分５，６，１８の上面上での接着剤の割合は、これらシート部分の表面積の半分よりも大きいので、パケット内で積層しているシート部分５，６は申し分なく互いに固定結合される。これにより、これらパケットは、こう回転数で作動するモータまたは発電機でも使用することができる。
【００９４】
上述し、図示した実施形態では、ステータシート５とロータシート６とは一体のリングから形成されている。しかし、リング状のステータシートまたはロータシート６をいくつかのセグメントから組み立てることも可能である。このケースでは、これらいくつかのセグメント自体を打ち抜き、積層してパケットを形成させ、このときパケットは継ぎ合わされてリング状のステータパケットまたはロータパケットを形成する。
【００９５】
図１ないし図５の実施形態では、図１１ないし図１３で例示して説明したように、リング状のシート部分５，６または装置７が共通の回転軸線のまわりに回転している間に接着剤が被着される。
【００９６】
接着剤を被着させるためには、該接着剤をシート部分５，６，１８上に被着させることができる弁システムであればどのようなものでも使用できる。有利には、ピエゾ技術をベースにした弁システムが使用される。ピエゾバルブを用いると、正確な接着剤被着を保証することができる。
【００９７】
接着剤はそれぞれのシート部分５，６，１８の上面に無接触式に被着させることができるが、しかし接触式で被着させることができる。
【００９８】
有利な実施形態では、異なるノズル１４ないし１６が１つの共通の装置７に設けられている（図１０）。これによって、この装置７の特に簡潔でコンパクトな構成が得られる。さらに、例えば被着ノズル１６を、ノズル１４と１５とは空間的に切り離して設備に配置されている別個の装置に設けることも可能である。このとき、クリーニング剤および／または活性剤によって接着剤の被着が阻害されるのが確実に阻止される。従って、例えば、このように切り離されて少なくとも１つの被着ノズル１６のみを有している装置を、ノズル１４，１５のみを有している装置に対し９０゜または１８０゜で配置することが可能である。この場合リング状シート部分５，６を、これらシート５，６の周方向に所望の接着剤被着が意図どおりに行われるように回転させる。
【００９９】
図１４はこのような別個の装置７を例示したものである。装置７はクリーニングノズル１４と、活性化ノズル１５と、被着ノズル１６とを有し、これらノズルはそれぞれ対を成して設けられている。この装置７の構成は、図１０を用いて説明した構成に対応している。ノズルはそれぞれ対を成して列をなして並設され、および相前後して配置されている。装置７は台架３４を有し、該台架からアーム３５が突出し、該アームにノズル１４ないし１６が配置されている。
【０１００】
ノズル１４ないし１６は下方へ配向され、すなわちシート５，６のほうへ配向され、シートは駆動ユニット３３を用いて鉛直軸線のまわりを回転可能である。シート５，６は丸テーブル３６上にあり、丸テーブルは駆動ユニット３３を用いてその軸線のまわりに回転駆動される。ノズル１４ないし１６は、シート５，６の回転の際に接着剤をシートの周方向に被着できるように、配置されている。
【０１０１】
有利には、ノズル１４ないし１６とシート５，６との間の間隔を調整可能に構成することが可能である。これは、たとえば、ノズル１４ないし１６自体をアーム３５に対し相対的に位置調整することで、或いは、アーム３５をノズル１４ないし１６とともに位置調整することで可能である。
【０１０２】
図１５は、リング状シート５，６を回転させるのではなく、装置７を鉛直軸線のまわりに回転させるようにした実施形態の概略図である。装置７は、丸テーブル３６の上方に間隔をもって位置している担持機構３７を有し、該担持機構の中央から駆動ユニット３３が丸テーブル３６の方向へ突出している。駆動ユニット３３はアーム３８を担持し、該アーム３８は半径方向に駆動ユニット３３から突出し、自由端に回転要素２７を担持している。回転要素にはノズル１４ないし１６が設けられている。回転要素２７は駆動ユニット３３によって周回するように駆動されて、丸テーブル３６上にあるリング状シート５，６を前述のようにしてクリーニング、活性化させ、および接着剤を具備させることができる。この実施形態においても、ノズルの位置調整または回転要素２７の位置調整のいずれかによってノズル１４ないし１６とシート５，６との間の間隔を調整できるようにすれば有利である。
【符号の説明】
【０１０３】
１                    第１ステーション
２                    層板
３                    第２ステーション
４                    第３ステーション（打ち抜き工具）
５，６，１８          シート
７                    被着装置（被着ヘッド）
１７                  シートの軸線
１９                  帯状シート
２０                  第１の位置
２１                  雌型
２７                  回転要素（可動部分）
２４                  第２の位置
２５                  第３の位置
２６                  第４の位置
３３                  駆動ユニット
３６                  丸テーブル
【図１】
2016097403.tif 000003
【図２】
2016097403.tif 000004
【図３】
2016097403.tif 000005
【図４】
2016097403.tif 000006
【図５】
2016097403.tif 000007
【図６】
2016097403.tif 000008
【図７】
2016097403.tif 000009
【図８】
2016097403.tif 000010
【図９】
2016097403.tif 000011
【図１０】
2016097403.tif 000012
【図１１】
2016097403.tif 000013
【図１２】
2016097403.tif 000014
【図１３】
2016097403.tif 000015
【図１４】
2016097403.tif 000016
【図１５】
2016097403.tif 000017
【図１６】
2016097403.tif 000018
【図１７】
2016097403.tif 000019